(57)【要約】【課題】記録再生装置における特定のキー操作の許可又は禁止をユーザに告知できるようにする。【解決手段】本発明に係る記録再生装置１によれば、ＣＰＵ１１１ａは、Ｎｅｔ　ＭＤモードがＯＮに設定されると、ＬＥＤ部１０４を点灯させ、通信コマンドチェック処理及び現在状態チェック処理を行って現在の装置内の状態がＥＪＥＣＴキー許可／禁止の何れの状態であるかを判断してＬＥＤ点滅許可設定のＯＮ／ＯＦＦを決定し、ＬＥＤ点滅許可設定がＯＮの場合は、ＬＥＤ点滅用タイマ１２０を点滅させる。また、ＣＰＵ１１１ａは、ＰＣ２からＭＤへのチェックアウトが開始されると、チェックアウトが終了するまでＬＥＤ部１０４を点滅させる。【選択図】　図１
2004134016.tif 000002
【特許請求の範囲】
【請求項１】
記録／再生するデータ及び制御信号を送信可能なコンピュータ装置に通信手段を介して接続可能であって、装填された記録媒体に対する記録又は再生を行う記録再生部を備えた記録再生装置において、
前記通信手段を介して、前記コンピュータ装置に接続して記録／再生動作を行う外部接続動作モードを有し、
前記記録再生装置の動作状態が予め定められた特定のキー操作を許可する状態であるか禁止する状態であるかを判断する状態判断手段と、
前記状態判断手段による判断結果に対応する内容の表示を表示部に表示させることにより前記特定のキー操作の許可又は禁止を告知する告知手段と、
を備えたことを特徴とする記録再生装置。
【請求項２】
前記状態判断手段は、前記コンピュータ装置から受信する通信コマンドと、前記記録再生部の状態を監視し、この監視結果に基づいて予め定められたキー操作を許可する状態であるか禁止する状態であるかを判断することを特徴とする請求項１に記載の記録再生装置。
【請求項３】
前記表示部は、発光部の点灯又は点滅により前記特定のキー操作の許可又は禁止を表示することを特徴とする請求項１又は２に記載の記録再生装置。
【請求項４】
前記特定のキー操作は、前記記録再生装置に装填された記録媒体の取り出しを指示するためのキー操作であることを特徴とする請求項１〜３の何れか一項に記載の記録再生装置。
【発明の詳細な説明】
【０００１】
【発明の属する技術分野】
本発明は、記録再生装置に関する。
【０００２】
【従来の技術】
近年、パソコン（ｐｅｒｓｏｎａｌ　ｃｏｍｐｕｔｅｒ；以下、ＰＣと略記する。）と記録再生装置をＵＳＢ（Ｕｎｉｖｅｒｓａｌ　Ｓｅｒｉａｌ　Ｂｕｓ）で接続するインターフェース規格であるＮｅｔＭＤにより、ＰＣ上の音楽データを記録再生装置に転送し、ＭＤ（Ｍｉｎｉ　Ｄｉｓｃ）等の記録メディアに録音（以下、チェックアウトと称する。）したり、再生したりすることが可能となっている。
【０００３】
Ｎｅｔ　ＭＤ機能を搭載した記録再生装置のように、ＰＣと通信を行うことが可能な機器においては、ＰＣとの通信の監視や通信中であることを表示する技術が開示されている。例えば、通信ケーブルを介してＰＣとオーディオ装置とを接続し、ＰＣから送信された音楽データをＭＤプレーヤのＭＤへ記録する場合に、オーディオ装置側でＰＣから周期的に送信される信号を監視し、この信号が途絶えた際に通信ケーブルが抜けたことを検出し、ＭＤプレーヤに録音動作の停止を指示する技術が開示されている（例えば、特許文献１参照）。
【０００４】
また、ＰＣと通信を行うデジタルカメラにおいて、カメラ前面に設けられているセルフタイマーＬＥＤの点灯、点滅により充電電池の充電中やＰＣとの通信中などの動作状態を知らせる技術が開示されている（例えば、特許文献２参照）。
【０００５】
【特許文献１】
特開２００２−１７１２０４号公報
【特許文献２】
特開２００２−２１８２８６号公報
【０００６】
【発明が解決しようとする課題】
ところで、Ｎｅｔ　ＭＤ機能を搭載した記録再生装置においては、ＰＣとの通信状況やＰＣからの制御に基づく動作状態により、特定のキー操作、例えばＥＪＥＣＴキーの操作が許可される場合と禁止される場合（有効となる場合と無効となる場合）がある。しかしながら、従来、ＥＪＥＣＴキーの使用が許可される状態であるか否かをユーザは知ることができず、不便であった。
【０００７】
本発明の課題は、記録再生装置における特定のキー操作の許可又は禁止をユーザに告知できるようにすることである。
【０００８】
【課題を解決するための手段】
上記課題を解決するため、請求項１に記載の発明は、
記録／再生するデータ及び制御信号を送信可能なコンピュータ装置に通信手段を介して接続可能であって、装填された記録媒体に対する記録又は再生を行う記録再生部を備えた記録再生装置において、
前記通信手段を介して、前記コンピュータ装置に接続して記録／再生動作を行う外部接続動作モードを有し、
前記記録再生装置の動作状態が予め定められた特定のキー操作を許可する状態であるか禁止する状態であるかを判断する状態判断手段と、
前記状態判断手段による判断結果に対応する内容の表示を表示部に表示させることにより前記特定のキー操作の許可又は禁止を告知する告知手段と、
を備えたことを特徴としている。
【０００９】
請求項２に記載の発明は、請求項１に記載の発明において、
前記状態判断手段は、前記コンピュータ装置から受信する通信コマンドと、前記記録再生部の状態を監視し、この監視結果に基づいて予め定められたキー操作を許可する状態であるか禁止する状態であるかを判断することを特徴としている。
【００１０】
請求項３に記載の発明は、請求項１又は２に記載の発明において、
前記表示部は、発光部の点灯又は点滅により前記特定のキー操作の許可又は禁止を表示することを特徴としている。
【００１１】
請求項４に記載の発明は、請求項１〜３の何れか一項に記載の発明において、
前記特定のキー操作は、前記記録再生装置に装填された記録媒体の取り出しを指示するためのキー操作であることを特徴としている。
【００１２】
【発明の実施の形態】
以下、図を参照して本発明の実施の形態を詳細に説明する。
図１に、本実施の形態に係るオーディオシステム１００の全体構成及び各装置の機能的構成を示す。図１に示すように、オーディオシステム１００は、記録再生装置１とＰＣ２が通信ケーブルであるＵＳＢ３を介して接続され、データの入出力が可能なように構成されている。ＰＣ２は、ＵＳＢ３を介して制御信号及びハードディスク２０４又はＣＤ（Ｃｏｍｐａｃｔ　Ｄｉｓｃ）ドライブ２０５に装填されたＣＤ（図示せず）に記録されているデータを記録再生装置１へ出力し、記録再生装置１は、ＰＣ２からの制御に従い、ＰＣ２から入力されたデータを再生したり、記録再生部１０１に装填されたＭＤに記録したりする。
【００１３】
まず、記録再生装置１の内部構成について説明する。
記録再生装置１は、図１に示すように、記録再生部１０１、操作部１０２、表示パネル部１０３、ＬＥＤ部１０４、Ｎｅｔ　ＭＤセキュリティー回路１０５を備えて構成されている。
【００１４】
記録再生部１０１は、システムコントローラ１１１、デジタル信号処理回路１１２、光ピックアップ１１３、送りモータ１１４、スピンドルモータ１１５、ＲＦアンプ１１６、ヘッドドライバ１１７、記録ヘッド１１８、バッファメモリ１１９及びＬＥＤ点滅用タイマ１２０等により構成され、ＵＳＢ３を介してＰＣ２から入力された音楽データを記録再生部１０１に装填されたＭＤに記録する。また、再生対象のＭＤに記録された音楽データを再生し、Ｄ／Ａ変換器及びアンプを介してスピーカ（図示せず）から出力する。なお、記録／再生データとして、音楽データを例にとり説明するが、これに限らず、その他の各種の音源データを用いることが可能である。
【００１５】
システムコントローラ１１１は、ＣＰＵ（Ｃｅｎｔｒａｌ　Ｐｒｏｃｅｓｓｉｎｇ　Ｕｎｉｔ）１１１ａ、ＲＯＭ（Ｒｅａｄ　Ｏｎｌｙ　　Ｍｅｍｏｒｙ）１１１ｂ、ＲＡＭ（Ｒａｎｄｏｍ　Ａｃｃｅｓｓ　Ｍｅｍｏｒｙ）１１１ｃ等から構成されている。ＣＰＵ１１１ａは、ユーザによる操作部１０２からのキー操作により、ＲＯＭ１１１ｂに格納されているシステムプログラムや各種制御プログラムを読み出し、ＲＡＭ１１１ｃ内のプログラム格納領域に展開し、該制御プログラムに従って記録再生装置１の各部の動作を集中制御する。例えば、ＣＰＵ１１１ａは、操作部１０２からの操作により、外部接続動作モード、即ち、Ｎｅｔ　ＭＤモードをＯＮとする要求が生じると、動作モードをＮｅｔ　ＭＤモードに設定し、ＰＣ２からのコマンド（制御信号）に応じて各部を制御し、ＭＤに記録された音楽データを再生、出力したり、ＵＳＢ３を介してＰＣ２から入力された音楽データをＭＤに記録したりする。
【００１６】
また、ＣＰＵ１１１ａは、ＲＯＭ１１１ｂから読み出したプログラムに従って、後述するＬＥＤ点滅処理、通信コマンドチェック処理、現在状態チェック処理を始めとする各種処理を実行する。即ち、ＣＰＵ１１１ａは、Ｎｅｔ　ＭＤモードがＯＮに設定されると、ＬＥＤ部１０４を点灯させ、通信コマンドチェック処理及び現在状態チェック処理を行って現在の装置内の状態がＥＪＥＣＴキー操作の許可／禁止の何れの状態であるかを判断してＬＥＤ点滅許可設定のＯＮ／ＯＦＦを決定し、ＬＥＤ点滅許可設定がＯＮの場合は、ＬＥＤ点滅用タイマ１２０を２．５秒にセットし、タイムアップ状態となるまでＬＥＤ部１０４を５００ｍ秒間隔で点滅させる。また、ＣＰＵ１１１ａは、ＰＣ２からＭＤへのチェックアウトが開始されると、チェックアウトが終了するまでＬＥＤ部１０４を５００ｍ秒間隔で点滅させる。
【００１７】
通信コマンドチェック処理においては、ＣＰＵ１１１ａは、ＰＣ２とのコマンド通信が行われていない、或いはＰＣ２から受信したコマンドが連続２回以上「記録再生部１０１の状態を問い合わせるコマンド」である場合、即ち、ＰＣ２から記録再生装置１に要求がない場合は、ＬＥＤ点滅許可設定をＯＦＦにする。現在状態チェック処理においては、ＣＰＵ１１１ａは、通信コマンドチェック処理の結果ＬＥＤ点滅許可設定がＯＦＦの場合に記録再生部１０１の状態をチェックし、現在ＭＤへのＵ−ＴＯＣ情報の書き込み中である場合に、ＬＥＤ点滅許可設定をＯＮに変更する。
【００１８】
ＲＯＭ１１１ｂは、半導体等の不揮発性メモリ等により構成されている。ＲＯＭ１１１ｂは、記録再生装置１に対応するシステムプログラム、及び該システムプログラム上で実行可能なＬＥＤ点滅処理プログラム、通信コマンドチェック処理、現在状態チェック処理を始めとする各種処理プログラム及びプログラムの実行に必要なデータ等を予め記憶する。
【００１９】
ＲＡＭ１１１ｃは、ＣＰＵ１１１ａにより実行制御される上記各種処理において、ＲＯＭ１１１ｂから読み出された記録再生装置１で実行可能なシステムプログラム、制御プログラム、入力若しくは出力データ、及びパラメータ等の一時的な格納領域となる。例えば、ＲＡＭ１１１ｃは、ＬＥＤ点滅許可設定のＯＮ／ＯＦＦの設定や、通信コマンドチェック処理における受信コマンドチェックフラグ、受信コマンド等を格納する。
【００２０】
デジタル信号処理回路１１２は、ＤＳＰ（Ｄｉｇｉｔａｌ　Ｓｉｇｎａｌ　Ｐｒｏｃｅｓｓｏｒ）等の高速のマイクロプロセッサにより構成され、サーボ制御、ショックプルーフメモリ制御等、ＭＤに対する音楽データの記録／再生における制御を行う。また、ＭＤのＡＤＩＰ（ＡＤｄｒｅｓｓ　ＩＮ　Ｐｒｅ−ｇｒｏｏｖｅ　ｏｎ　Ｒｅｃｏｒｄａｂｌｅ　Ｄｉｓｃ；プリグルーブ）に記録されているアドレスのデコード処理、音楽データのＥＦＭ（Ｅｉｇｈｔ　ｔｏ　Ｆｏｕｒｔｅｅｎ　Ｍｏｄｕｌａｔｉｏｎ）エンコード／デコード処理、ＡＴＲＡＣ（Ａｄａｐｔｉｖｅ　Ｔｒａｎｓｆｏｒｍ　Ａｃｏｕｓｔｉｃ　Ｃｏｄｉｎｇ）方式やＡＴＲＡＣ３方式へのエンコード／デコード処理等の各種デジタル信号処理を施す。
【００２１】
光ピックアップ１１３は、音楽データの記録時において、デジタル信号処理回路１１２に制御された送りモータ１１４によりＭＤの半径方向に移動し、レーザ光をＭＤの記録面に向けて照射し、キュリー点以上になるまで加熱して記録を行う。また、光ピックアップ１１３は、音楽データの再生時において、デジタル信号処理回路１１２に制御された送りモータ１１４によりＭＤの半径方向に移動し、レーザ光をＭＤの記録面に向けて照射し、その反射光の強弱からＭＤに記録されているデータを読み取ってＲＦアンプ１１６等に出力する。
【００２２】
送りモータ１１４は、デジタル信号処理回路１１２により駆動制御され、光ピックアップをＭＤの半径方向に移動させる。
スピンドルモータ１１５は、デジタル信号処理回路１１２により駆動制御され、一定線速度で回転することで、装填されたＭＤを回転駆動させる。
【００２３】
ＲＦアンプ１１６は、光ピックアップ１１３より入力された信号のうち、主にＭＤに記録されたデータに応じた信号成分を有するＲＦ（Ｒａｄｉｏ　Ｆｒｅｑｕｅｎｃｙ）信号を増幅してデジタル信号処理回路１１２に出力する。
【００２４】
ヘッドドライバ１１７は、デジタル信号処理回路１１２の制御により記録時に記録ヘッド１１８を制御して、デジタル信号処理回路１１２から供給される信号に応じた磁場をＭＤに印加して音楽データやタイトル情報等をＭＤに記録する。
【００２５】
バッファメモリ１１９は、ＤＲＡＭ（Ｄｙｎａｍｉｃ　Ｒａｎｄｏｍ　Ａｃｃｅｓｓ　Ｍｅｍｏｒｙ）等により構成され、ＰＣ２から受信した音楽データやＭＤから読み込んだ音楽データを一時的に格納する。
ＬＥＤ点滅用タイマ１２０は、ＣＰＵ１１１ａからの指示に従って計時を行う。
【００２６】
操作部１０２は、ＥＪＥＣＴキー、パワーキー、録音（記録）キー、再生キー、テンキー、ＳＫＩＰ　ＵＰ／ＤＯＷＮキー、停止キー、モード設定キー等の各種機能キーを備え、キー操作による操作信号をＣＰＵ１１１ａへ出力する。
【００２７】
表示パネル部１０３は、ＬＣＤ（Ｌｉｑｕｉｄ　Ｃｒｙｓｔａｌ　Ｄｉｓｐｌａｙ）等により構成され、ＣＰＵ１１１ａから入力される表示信号の指示に従って、表示画面上に、再生するＭＤの全録音時間、全体の曲数、現在録音または再生されている曲番号等の情報や動作モード等の表示を行う。
【００２８】
ＬＥＤ（発光ダイオード）部１０４は、ＣＰＵ１１１ａの制御により点灯又は点滅することにより、ＥＪＥＣＴキーの操作が許可された状態であるか禁止された状態であるかをユーザに告知する。
【００２９】
ＮｅｔＭＤセキュリティー回路１０５は、記録再生部１０１とＵＳＢ３を接続するためのＵＳＢインターフェースであり、ＰＣ２とのＮｅｔ　ＭＤ接続時のセキュリティ管理、チェックアウト時に受信した暗号化された音楽データの復号化処理等を行う。
【００３０】
次に、ＰＣ２の内部構成について説明する。
ＰＣ２は、図１に示す様に、ＣＰＵ２０１ａ、ＲＯＭ２０１ｂ及びＲＡＭ２０１ｃを有する制御部２０１、操作部２０２、表示部２０３、ハードディスク２０４、ＣＤドライブ２０５、Ｉ／Ｆ２０６、通信制御部２０７等により構成されている。
【００３１】
ＣＰＵ２０１ａは、ＲＯＭ２０１ｂ、ハードディスク２０４に記憶されているシステムプログラムや各種処理プログラムを読み出して、読み出したプログラムに従って各部の動作を集中制御する。例えば、ハードディスク２０４には、ＵＳＢ３を介して接続された記録再生装置１を制御するための記録再生用アプリケーションソフトが格納されており、ＣＰＵ２０１ａは、操作部２０２により記録再生用アプリケーションソフトの実行が指示されると、記録再生用アプリケーションソフトのアプリケーションプログラムを読み出して実行する。具体的には、ＣＰＵ２０１ａは、表示部２０３に記録再生装置１を操作するための操作画面を表示して、操作画面からの入力指示に従って記録再生装置１に制御信号（コマンド）を送信し、ハードディスク２０４やＣＤドライブ２０５に装填されたＣＤに記録された音楽データを暗号化して記録再生装置１に転送し、記録再生装置１を制御してこれらの音楽データを出力させたり、ＭＤに記録（チェックアウト）したり、ＭＤに記録された音楽データを再生させたりする。また、ＣＰＵ２０１ａは、記録再生装置１との接続時、所定時間間隔で記録再生部１０１の状態を問い合わせるコマンドを送信する。
【００３２】
また、ＣＰＵ２０１ａは、ウェブブラウザ機能を有し、ＵＲＬ（Ｕｎｉｆｏｒｍ　Ｒｅｓｏｕｒｃｅ　Ｌｏｃａｔｏｒ）等により所定のインターネットアドレスを指定することで、インターネットＮを介して任意のウェブサーバにアクセスし、ウェブページを閲覧可能とする。例えば、ＣＰＵ２０１ａは、操作部２０２からの入力指示に従って、音楽配信サービスを提供するウェブページにアクセスし、音楽データのダウンロードを行ってＡＴＲＡＣ形式、ＡＴＲＡＣ３形式等の所定のデータフォーマットに変換し、ハードディスク２０４に記憶させる。
【００３３】
ＲＯＭ２０１ｂは、不揮発性の半導体メモリ等により構成され、ＰＣ２に対応するシステムプログラム、及び該システムプログラム上で実行可能な各種処理プログラム等を記憶する。プログラムは、コンピュータが読み取り可能なプログラムコードの形態で格納され、ＣＰＵ２０１ａは、当該プログラムコードに従った動作を逐次実行する。
【００３４】
ＲＡＭ２０１ｃは、制御部２０１により実行制御される各種処理において、ＲＯＭ２０１ｂやバードディスク２０４から読み出されたＰＣ２で実行可能なシステムプログラム、各種処理プログラム、各種アプリケーションプログラム、入力若しくは出力データ、及びパラメータ等の一時的な格納領域となる。
【００３５】
操作部２０２は、文字／英数字入力キー、カーソルキー、及び各種機能キー等を備えたキーボードと、ポインティングデバイスであるマウス等を備えて構成され、キーボードで押下操作されたキーの押下信号とマウスによる操作信号とを入力信号としてＣＰＵ２０１ａへ出力する。若しくは、操作部２０２は、表示部２０３の表示画面を覆う透明なシートパネルに、指又は専用のスタイラスペンで触れることにより入力される位置情報を入力信号としてＣＰＵ２０１ａに出力する、タッチパネルにより構成される。
【００３６】
表示部２０３は、ＬＣＤ（Ｌｉｑｕｉｄ　Ｃｒｙｓｔａｌ　Ｄｉｓｐｌａｙ）やＣＲＴ（Ｃａｔｈｏｄｅ　Ｒａｙ　Ｔｕｂｅ）等により構成され、ＣＰＵ２０１ａから入力される表示信号の指示に従って、表示画面上に、画像の表示を行う。
【００３７】
ハードディスク２０４は、大容量の記憶装置であり、音楽データ、記録再生用アプリケーションソフトのアプリケーションプログラムのデータをはじめとする各種データを記憶する。ハードディスク２０４は、ＰＣ２内部に固定的に設けたもの、若しくは着脱自在に装着するもののいずれであってもよい。
ＣＤドライブ２０５は、装填されたＣＤに記録されたデータの読み出しを行う。
【００３８】
Ｉ／Ｆ２０６は、ＰＣ２とＵＳＢ３を接続するためのインターフェースである。
通信制御部２０７は、モデム、ＴＡ（Ｔｅｒｍｉｎａｌ　Ａｄａｐｔｅｒ）やルータ等により構成され、電話回線、ＩＳＤＮ回線、ＡＤＳＬ回線、ケーブルテレビ回線、或いは光ファイバ等によってなる専用線等の通信回線を介して、インターネットＮに接続された外部の機器との通信を行うための制御を行う。
【００３９】
次に、動作について説明する。
図２に、記録再生装置１のＣＰＵ１１１ａにより実行されるＬＥＤ点滅処理の例を示す。このＬＥＤ点滅処理は、操作部１０２のＥＪＥＣＴキーの操作が禁止である場合に、ＬＥＤ部１０４を点滅させるための処理である。
【００４０】
ＣＰＵ１１１ａは、操作部１０２の操作によりＮｅｔＭＤモードがＯＮに設定されると（ステップＳ１）、ＬＥＤ部１０４を点灯させる（ステップＳ２）。そして、図３に示す通信コマンドチェック処理を行う（ステップＳ３）。
【００４１】
図３に示す通信コマンドチェック処理において、ＣＰＵ１１１ａは、現在ＰＣ２からの通信を監視してコマンド通信中であるか否かを判断し、コマンド通信中ではないと判断すると（ステップＳ１０１；ＮＯ）、ステップＳ１０９に移行し、ＬＥＤ点滅許可設定をＯＦＦにし（ステップＳ１０９）、本処理を終了して図２のステップＳ４へ移行する。
【００４２】
ステップＳ１０１において、ＣＰＵ１１１ａは現在ＰＣ２からのコマンド通信中であると判断すると（ステップＳ１０１；ＹＥＳ）、ＲＡＭ１１１ｃの受信コマンドチェックフラグ格納部を参照し、所定のフラグ（以下、チェックフラグと称する）が格納されているか否かを判断する（ステップＳ１０２）。ここで、受信コマンドチェックフラグ格納部にチェックフラグが格納されている場合、ステップＳ１０５において使用する前回のＰＣ２からの受信コマンドが記憶されていることを示し、チェックフラグが格納されていない場合、前回の受信コマンドが記憶されていないことを示す。ＣＰＵ１１１ａは、受信コマンドチェックフラグ格納部にチェックフラグが格納されていないと判断すると（ステップＳ１０２；ＮＯ）、チェックフラグを格納し（ステップＳ１０３）、今回の受信コマンドをＲＡＭ１１１ｃの受信コマンド格納部に記憶して（ステップＳ１０８）、本処理を終了して図２のステップＳ４へ移行する。
【００４３】
一方、ＣＰＵ１１１ａは、受信コマンドチェックフラグ格納部にチェックフラグが格納されていると判断すると（ステップＳ１０２；ＹＥＳ）、ＰＣ２から受信したコマンドを解析し、当該コマンドが「記録再生部１０１の状態を問い合わせるコマンド」である場合には（ステップＳ１０４；ＹＥＳ）、ＲＡＭ１１１ｃの受信コマンド格納部を参照し、前回の受信コマンドが今回のと同様「記録再生部１０１の状態を問い合わせるコマンド」である場合には（ステップＳ１０５；ＹＥＳ）、ＬＥＤ点滅許可設定をＯＦＦにし（ステップＳ１０６）、今回の受信コマンドを受信コマンド格納部に記憶する（ステップＳ１０８）。受信したコマンドを解析した結果、「現在の記録再生部１０１の状態を問い合わせるコマンド」でない場合（ステップＳ１０４；ＮＯ）、或いは前回の受信コマンドが「記録再生部１０１の状態を問い合わせるコマンド」でない場合（ステップＳ１０５；ＮＯ）、ＣＰＵ１１１ａは、ＬＥＤ点滅許可設定をＯＮにし（ステップＳ１０７）、今回の受信コマンドをＲＡＭ１１１ｂの受信コマンド格納部に記憶し（ステップＳ１０８）、本処理を終了して図２のステップＳ４へ移行する。
【００４４】
ここで、記録再生装置１とＰＣ２とが接続されると、ＰＣ２は記録再生装置１に対する制御コマンドを記録再生装置１側に送信するとともに、定期的に「記録再生部１０１の状態を問い合わせるコマンド」（以下、問い合わせコマンドと称する）を送信し、記録再生装置１の状態を確認する。上述した通信コマンドチェック処理により、ＰＣ２から連続２回以上前記問い合わせコマンドが受信された場合には、ＰＣ２からの記録再生装置１に対する要求がないものとしてＥＪＥＣＴキーは有効（許可）となるため、ＬＥＤ点滅許可設定はＯＦＦにされる。一方、前記問い合わせコマンドの受信が１回、或いは受信コマンドが問い合わせコマンドではない場合、ＰＣ２から記録再生装置１に対して何らかの要求があるものとしてＥＪＥＣＴキーが禁止となるため、ＬＥＤ点滅許可設定はＯＮにされる。
【００４５】
図２に戻り、ＰＣ２からＭＤのチェックアウト要求を受信してチェックアウトが開始されると（ステップＳ４；ＹＥＳ）、ＣＰＵ１１１ａは、ＬＥＤ部１０４を所定間隔、例えば５００ｍｓ間隔で点滅させる（ステップＳ５）。ＰＣ２からチェックアウト終了通知を受信することによりチェックアウトが終了すると（ステップＳ６；ＹＥＳ）、ＣＰＵ１１１ａは、図４に示す現在状態チェック処理に移行する（ステップＳ７）。
【００４６】
図４に示す現在状態チェック処理において、ＣＰＵ１１１ａは、ＬＥＤ点滅許可設定がＯＮであるか否かを判断し、ＯＮであると判断すると（ステップＳ１１１；ＹＥＳ）、ＬＥＤ点滅許可設定をＯＮのまま本処理を終了して図２のステップＳ８に移行する。
【００４７】
ＣＰＵ１１１ａは、ＬＥＤ点滅許可設定がＯＮではないと判断すると（ステップＳ１１１；ＮＯ）、記録再生部１０１の状態をチェックする（ステップＳ１１２）。そして、ＣＰＵ１１１ａは、現在ＰＣ２とのコマンドの通信中であるか否かを判断し、通信中ではないと判断すると（ステップＳ１１３；ＮＯ）、ＬＥＤ点滅許可設定をＯＦＦのまま本処理を終了して図２のステップＳ８に移行する。
【００４８】
一方、ＣＰＵ１１１ａは、現在ＰＣ２とのコマンドの通信中であると判断すると（ステップ１１３；ＹＥＳ）、記録再生部１０１が停止状態であるか否かを判断し、停止状態ではないと判断すると（ステップＳ１１４；ＮＯ）、タイトル書き換え等、ＭＤへのＵ−ＴＯＣ情報の書込み中であるか否かを判断し、書込み中ではないと判断すると（ステップＳ１１５；ＮＯ）、ＬＥＤ点滅許可設定をＯＦＦのまま本処理を終了して図２のステップＳ８に移行する。ＣＰＵ１１１ａは、ＭＤへのＵ−ＴＯＣ情報の書込み中であると判断すると（ステップＳ１１５；ＹＥＳ）、ＬＥＤ点滅許可設定をＯＮに設定し（ステップ１１６）、本処理を終了して図２のステップＳ８に移行する。
【００４９】
現在状態チェック処理においては、ＬＥＤ点滅許可設定がＯＮである場合には、そのままＬＥＤ点滅許可設定をＯＮとし、ＬＥＤ点滅許可設定がＯＦＦの場合、ＰＣ２からのコマンド通信中かつ記録再生部１０１がＭＤへのＵ−ＴＯＣ情報の書込み中の時にはＬＥＤ点滅許可設定をＯＮにする。即ち、通信コマンドチェック処理において、ＰＣ２からの要求を受信していなくとも、記録再生部１０１が書込み動作を行っており、ＥＪＥＣＴキーが禁止である場合は、ＬＥＤ点滅許可設定をＯＮにする。
【００５０】
図２に戻り、ステップＳ７の現在状態チェック処理が終了すると、ＣＰＵ１１１ａはＬＥＤ点滅許可設定がＯＮであるか否かを判断し、ＯＮであると判断すると（ステップＳ８；ＹＥＳ）、ＬＥＤ点滅用タイマ１２０を所定時間、たとえば２．５秒にセットして計時を開始する（ステップＳ９）。ステップＳ９で計時を開始してからＬＥＤ点滅用タイマ１２０がタイムアップ状態（計時していない状態）になるまでの間（ステップＳ１０；ＮＯ）、即ち、ステップＳ９でＬＥＤ点滅用タイマ１２０の計時を開始してから２．５秒間が経過するまでの間、ＣＰＵ１１１ａは、ＬＥＤ部１０４を所定間隔、例えば５００ｍ秒間隔で点滅させ（ステップＳ１１）、Ｎｅｔ　ＭＤモードのＯＦＦが設定されるまで（ステップＳ１２；ＮＯ）ステップＳ２〜１２を繰り返し実行する。ステップＳ８においてＬＥＤ点滅許可設定がＯＦＦであると判断すると（ステップＳ８；ＮＯ）、ＣＰＵ１１１ａは、ＬＥＤ点滅用タイマ１２０を２．５秒にセットすることなくステップＳ１０に移行する。ステップＳ１０において、ＬＥＤ点滅用タイマ１２０がタイムアップ状態（計時していない状態）であると判断すると（ステップＳ１０；ＹＥＳ）、ＣＰＵ１１１ａは、ＬＥＤ部１０４を点滅させずにステップＳ１２に移行し、Ｎｅｔ　ＭＤモードのＯＦＦが設定されるまで（ステップＳ１２；ＮＯ）ステップＳ２〜１２を繰り返し実行する。ステップＳ１２においてＮｅｔ　ＭＤモードがＯＦＦに設定されると（ステップＳ１２；ＮＯ）、ＣＰＵ１１１ａは、ＬＥＤ部１０４を消灯させる（ステップＳ１３）。
【００５１】
以上説明したように、ＣＰＵ１１１ａによれば、Ｎｅｔ　ＭＤモードがＯＮに設定されると、ＬＥＤ部１０４を点灯させ、通信コマンドチェック処理及び現在状態チェック処理を行って現在の装置内の状態がＥＪＥＣＴキー操作の許可／禁止の何れの状態であるかを判断してＬＥＤ点滅許可設定のＯＮ／ＯＦＦを決定し、ＬＥＤ点滅許可設定がＯＮの場合は、ＬＥＤ点滅用タイマ１２０を２．５秒にセットし、ＬＥＤ部１０４を５００ｍ秒間隔で点滅させる。また、チェックアウトの開始から終了までの間、ＣＰＵ１１１ａはＬＥＤ部１０４を５００ｍ秒間隔で点滅させる。通信コマンドチェック処理においては、ＣＰＵ１１１ａは、コマンド通信が行われていない、或いはＰＣ２から受信したコマンドが連続２回以上「記録再生部１０１の状態を問い合わせるコマンド」である場合、即ちＰＣ２から記録再生装置１に要求がない場合は、ＬＥＤ点滅許可設定をＯＦＦにする。現在状態チェック処理においては、ＣＰＵ１１１ａは、通信コマンドチェック処理の結果ＬＥＤ点滅許可設定がＯＦＦの場合に記録再生部１０１の状態をチェックし、現在ＭＤへのＵ−ＴＯＣ情報の書き込み中である場合に、ＬＥＤ点滅許可設定をＯＮに変更する。
【００５２】
従って、Ｎｅｔ　ＭＤモード時にＬＥＤ部１０４が点灯し、チェックアウト中、ＰＣ２からの要求の受信中及びＭＤへの書込み中はＬＥＤ部１０４が点滅するので、ユーザはＮｅｔ　ＭＤモードであること及びＮｅｔ　ＭＤ時においてＥＪＥＣＴキーの操作が許可されているか禁止されているかをＬＥＤ部１０４の点灯／点滅により視覚的に識別することができるようになる。また、ＥＪＥＣＴキー操作の禁止状態になると、ＬＥＤ部１０４を所定時間点滅させるので、ユーザにＥＪＥＣＴキーの禁止／許可の状態を見やすい状態で告知することができる。
【００５３】
なお、上記実施の形態における記述内容は、本発明における好適な一例であり、これに限定されるものではない。
例えば、本実施の形態においては、ＬＥＤ部１０４の点灯によりＥＪＥＣＴキーの操作の許可を、点滅によりＥＪＥＣＴキーの操作の禁止をユーザに対して告知することとしているが、これに限定されず、例えば、ＬＥＤ１０４の点灯／点滅によりパワーキーの操作の許可／禁止を告知することとしてもよい。
【００５４】
また、ＥＪＥＣＴキーの操作の許可／禁止を告知する方法についても、ＬＥＤ部１０４を点灯／点滅させる方法に限定されず、例えばＬＥＤ部１０４の表示色により許可／禁止を表示する、表示パネル部１０３にテキスト表示する、或いはキャラクタ表示する等、様々な表示方法によりＥＪＥＣＴキーの許可／禁止を告知することが可能である。
【００５５】
また、記録再生装置１は、ＭＤに対して音楽データの記録、再生を行う装置として説明したが、ＣＤ、ＤＶＤ（Ｄｉｇｉｔａｌ　Ｖｅｒｓａｔｉｌｅ　Ｄｉｓｋ）等に音楽データを記録、再生する記録再生装置においても本発明を適用することができる。また、上述した記録再生装置１は、ＣＤ再生部、ＤＶＤ再生部等を備える構成であってもよい。
【００５６】
また、記録再生装置１とＰＣ２の接続は、ＵＳＢを介するものとしたが、データの送受信ができればよく、これに限定されない。
【００５７】
その他、オーディオシステム１００及びオーディオシステム１００を構成する各装置の細部構成及び細部動作に関しても、本発明の趣旨を逸脱することのない範囲で適宜変更可能である。
【００５８】
【発明の効果】
本発明によれば、記録再生装置における特定のキー操作の許可又は禁止をユーザに告知することができる。
【図面の簡単な説明】
【図１】本発明に係るオーディオシステム１００の全体構成を概念的に示す図である。
【図２】図１のＣＰＵ１１１ａにより実行されるＬＥＤ点滅処理を示すフローチャートである。
【図３】図１のＣＰＵ１１１ａにより実行される通信コマンドチェック処理を示すフローチャートである。
【図４】図１のＣＰＵ１１１ａにより実行される現在状態チェック処理を示すフローチャートである。
【符号の説明】
１　　記録再生装置
１０１　　記録再生部
１１１　　システムコントローラ
１１１ａ　　ＣＰＵ
１１１ｂ　　ＲＯＭ
１１１ｃ　　ＲＡＭ
１１２　　デジタル信号処理回路
１１３　　光ピックアップ
１１４　　送りモータ
１１５　　スピンドルモータ
１１６　　ＲＦアンプ
１１７　　ヘッドドライバ
１１８　　記録ヘッド
１１９　　バッファメモリ
１２０　　ＬＥＤ点滅用タイマ
１０２　　操作部
１０３　　表示パネル部
１０４　　ＬＥＤ部
１０５　　Ｎｅｔ　ＭＤセキュリティー回路
２　　ＰＣ
２０１　　制御部
２０１ａ　　ＣＰＵ
２０１ｂ　　ＲＯＭ
２０１ｃ　　ＲＡＭ
２０２　　操作部
２０３　　表示部
２０４　　ハードディスク
２０５　　ＣＤドライブ
２０６　　Ｉ／Ｆ
２０７　　通信制御部
３　　ＵＳＢ
１００　　オーディオシステム
【図１】
2004134016.tif 000003
【図２】
2004134016.tif 000004
【図３】
2004134016.tif 000005
【図４】
2004134016.tif 000006